(57)【要約】【課題】前扉が開放されるに伴う不正行為を確実に発見し、不正行為を防止する等の遊技機を提供する。【解決手段】前扉２が閉じた状態で互いにすれ違う扉側プレート２７８及び筐体側プレート３５１と、扉側プレート２７８の移動空間を貫通し前記各プレートによりせん断される位置まで可動ロッドを進出可能な直動アクチュエータ３５２とによりブロッカー装置を構成する。前扉が一旦開放されたとき可動ロッドを進出させて、前扉の再閉塞をブロックする。【選択図】図４
2007215905.tif 000002
【特許請求の範囲】
【請求項１】
開口部を有する筐体と当該筐体の開口部に対して開閉可能に取り付けられた前扉とを備える遊技機であって、前記前扉が開放されたとき当該前扉の前記筐体への再閉塞をブロックするブロッカー装置を設けたことを特徴とする遊技機。
【請求項２】
前記前扉の開放状態を検出する開扉検出手段を更に備え、前記ブロッカー装置は、前記開扉検出手段が前記前扉の開放状態を検出したとき当該前扉の前記筐体への再閉塞をブロックすることを特徴とする請求項１に記載の遊技機。
【請求項３】
前記ブロッカー装置は、前記前扉が閉塞した状態で相互にすれ違う位置に前記前扉と前記筐体の各側に固定されたプレート部材と、進退可能に設けられ前記各プレートによりせん断される位置に進出して前記前扉の閉塞をブロックするロッド部材とを備えてなることを特徴とする請求項１又は２に記載の遊技機。
【請求項４】
前記ロッド部材を前記プレート部材によりせん断される位置から退避させることでブロック状態を解除するブロック解除手段を更に設けたことを特徴とする請求項３に記載の遊技機。
【請求項５】
前記前扉が開放し前記ブロッカー装置が作動する間、当該開放状態を外部へ報知する報知手段を更に設けたことを特徴とする請求項１〜４の何れか１項に記載の遊技機。
【請求項６】
前記報知手段は、前記開扉検出手段の作動信号に基づいて報知動作を行うことを特徴とする請求項５に記載の遊技機。
【請求項７】
前記報知手段は、前記ブロッカー装置の作動信号に基づいて報知動作を行うことを特徴とする請求項５に記載の遊技機。
【発明の詳細な説明】
【技術分野】
【０００１】
本発明は、スロットマシン、パチンコその他の遊技機に関し、特に不正行為を防止するための対策が講じられた遊技機に関するものである。
【背景技術】
【０００２】
スロットマシン等の遊技機にあっては、演算処理装置としてのＣＰＵと、記憶素子としてのＲＯＭ等で構成された制御基板等が筐体内部に設置され、ＲＯＭに記憶された各種プログラムに従ってＣＰＵが演算処理を行うことで、遊技機によるゲームが進行制御される。
【０００３】
例えばスロットマシンの場合、主制御基板と呼ばれるメインの制御基板が当たりを抽選したり、当たりの時に連続して発生する入賞回数の管理等を行っており、これら当たりを発生させる確率や連続賞回数といった遊技の勝敗に関わる数値情報が予めＲＯＭに設定されている。
【０００４】
ところで、近年、より高い配当率でゲームを有利にできるようプログラムを不正に書き換えたＲＯＭへの交換や制御基板の改造といった不正行為が問題となっている。
【０００５】
このような不正行為を防止する対策として、例えば、前扉の開放を検知する開放センサを取り付け、前扉が開放する間、音声や光により外部へ報知する手段が知られている（例えば特許文献１参照）。
【０００６】
【特許文献１】特開２００５−１３７４２８号公報
【発明の開示】
【発明が解決しようとする課題】
【０００７】
近年、不正行為者（ゴト師）などによる不正行為の技術が熟練するにつれ、遊技機の前扉を開放して短時間に制御基板の改造等がされてしまうようになってきた。上述した従来の対策手段では、制御基板の改造等の不正行為が短時間に行われ、再び前扉が筐体に閉塞されると報知動作も終了してしまう。このため、不正行為の発見が遅れ不正行為の防止効果が十分でない等の課題があった。
【０００８】
本発明はこうした従来の問題に鑑みてなされたものであり、前扉の不正な開放に伴う不正行為を確実に発見し、かかる不正行為の防止策を実効あらしめる遊技機を提供することを目的としている。
【課題を解決するための手段】
【０００９】
上述した課題を解決するため、請求項１に記載の発明は、開口部を有する筐体と当該筐体の開口部に対して開閉可能に取り付けられた前扉とを備える遊技機であって、前記前扉が開放されたとき当該前扉の前記筐体への再閉塞をブロックするブロッカー装置を設けたことを特徴とする。
【００１０】
請求項１に記載の遊技機によれば、前扉が開放されたときブロッカー装置が作動し前扉の再閉塞をブロックする。これにより、前扉の開放異常を長期に報知することができ、不正行為の発見を確実にする。また、前扉が開放されると遊技ができなくなり、不正行為を実効的に防止する。
【００１１】
請求項２に記載の発明は、請求項１に記載の遊技機であって、前記前扉の開放状態を検出する開扉検出手段を更に備え、前記ブロッカー装置は、前記開扉検出手段が前記前扉の開放状態を検出したとき当該前扉の前記筐体への再閉塞をブロックすることを特徴とする。
【００１２】
請求項２に記載の遊技機によれば、開扉検出手段が前扉の開放状態を検出したときブロッカー装置が作動し前扉の再閉塞をブロックする。これにより、前扉の開放異常を長期に報知することができ、不正行為の発見を確実にする。また、前扉が開放されると遊技ができなくなり、不正行為を実効的に防止する。
【００１３】
請求項３に記載の発明は、請求項１又は２に記載の遊技機であって、前記ブロッカー装置は、前記前扉が閉塞した状態で相互にすれ違う位置に前記前扉と前記筐体の各側に固定されたプレート部材と、進退可能に設けられ前記各プレートによりせん断される位置に進出して前記前扉の閉塞をブロックするロッド部材とを備えてなることを特徴とする。
【００１４】
請求項３に記載の遊技機によれば、前扉と筐体との各側において、前扉が閉塞した状態で相互にすれ違うプレート部材をそれぞれ固定して設け、開扉検出手段が前扉の開放状態を検出したとき、ロッド部材を各プレートによりせん断される位置に進出させることにより、前扉の再閉塞をブロックする。これにより、前扉の開放異常を長期に報知することができ、不正行為の発見を確実にする。また、前扉が開放されると遊技ができなくなり、不正行為を実効的に防止する。
【００１５】
請求項４に記載の発明は、請求項３に記載の遊技機であって、前記ロッド部材を前記プレート部材によりせん断される位置から退避させることでブロック状態を解除するブロック解除手段を更に設けたことを特徴とする。
【００１６】
請求項４に記載の遊技機によれば、ブロック解除手段は、ロッド部材を上述のせん断される位置から退避させることでブロック状態を解除する。ブロック解除手段が作動するまで前扉の再閉塞をブロックする状態を継続させることで、前扉の開放異常を長期に報知することができ、不正行為の発見を確実にする。
【００１７】
請求項５に記載の発明は、請求項１〜４の何れか１項に記載の遊技機であって、前記前扉が開放し前記ブロッカー装置が作動する間、当該開放状態を外部へ報知する報知手段を更に設けたことを特徴とする。
【００１８】
請求項５に記載の遊技機によれば、報知手段は、前扉が開放しブロッカー装置が作動する間、当該開放状態を外部へ報知する。これにより、前扉の開放異常を長期に報知して、不正行為の発見を確実にする。
【００１９】
請求項６に記載の発明は、請求項５に記載の遊技機であって、前記報知手段は、前記開扉検出手段の作動信号に基づいて報知動作を行うことを特徴とする。
【００２０】
請求項６に記載の遊技機によれば、報知手段が開扉検出手段の作動信号に基づいて前扉の開放異常を外部に報知することで、不正行為の発見を確実にする。
【００２１】
請求項７に記載の発明は、請求項５に記載の遊技機であって、前記報知手段は、前記ブロッカー装置の作動信号に基づいて報知動作を行うことを特徴とする。
【００２２】
請求項７に記載の遊技機によれば、報知手段がブロッカー装置の作動信号に基づいて前扉の開放異常を外部に報知することで、不正行為の発見を確実にする。
【発明の効果】
【００２３】
上述したように、本発明の遊技機によれば、開扉検出手段が前扉の開放状態を検出したときブロッカー装置が作動し前扉の再閉塞をブロックする。これにより、前扉の開放異常を長期に報知することができ、不正行為の発見を確実にすることができる。また、前扉が開放されると不正行為者は遊技をすることができなくなり、その結果として不正行為を実効的に防止することができる。
【発明を実施するための最良の形態】
【００２４】
以下、本発明に係る遊技機の好適な実施形態としてスロットマシン１を図面を参照しながら説明する。ここで、図１は、スロットマシン１の外観構造を表した斜視図、図２はスロットマシン１の内部構造を表した図である。図１において、スロットマシン１は、箱状の筐体３と、筐体３の開口部に蝶番機構によって開閉可能に取り付けられた前扉２とを備えている。
【００２５】
前扉２の遊技者に面する側には、意匠的にデザインされ硬質プラスチックでそれぞれほぼ一体的に形成された、いわゆる化粧板に相当する上部パネル部２１、中部パネル部２２、及び下部パネル部２３が設けられている。そして、中部パネル部２２と下部パネル部２３との間には、ゲーム操作を行うためのスイッチ類が配置された操作卓２４が一体的に形成されている。
【００２６】
上部パネル部２１には、高輝度発光ダイオード等で形成された上部ランプ２１１と、演出効果音を発する図示しないスピーカが裏面側に取り付けられたスリット溝孔からなる左右の放音口２１２ａ、２１２ｂがそれぞれ形成されている。
【００２７】
また、放音口２１２ａ、２１２ｂの間には、液晶表示装置２１３が配置されている。なお、液晶表示装置２１３は、ゲームの演出に係る映像を表示する。
【００２８】
中部パネル部２２には、硬質プラスチック板等で形成された中パネル２２１が設けられている。中パネル２２１のほぼ中央には略長方形の透明な表示窓２２２が形成され、表示窓２２２を通して筐体３内に取り付けられている３個のリール３１１ａ、３１１ｂ、３１１ｃを目視できるようになっている。
【００２９】
ここで、詳細は後述するが、筐体３内に設置されているリール装置３１は、３個の円筒形状のリール３１１ａ、３１１ｂ、３１１ｃを回転軸方向に並べて構成され、各リール３１１ａ、３１１ｂ、３１１ｃの外周面にはその周方向に沿って複数種類の図柄が描かれている。そして、遊技者は、表示窓２２２を通して各リールに描かれた上下方向３個の図柄と、横方向に配列されたリール３列の図柄を目視することができる。また、遊技者の指示操作に応じて、各リール３１１ａ、３１１ｂ、３１１ｃは回転及び停止の動作が行われ、これにより表示されるリールの図柄の種類が変更されるようになっている。
【００３０】
また、中部パネル部２２の中パネル２２１には、裏面側に設けられている図示しないランプを点灯させることで例えば入賞役への内部当選など遊技状態に関する情報を演出表示する告知表示部２２３と、複数の発光ダイオードがマトリクス状に配列され各発光ダイオードを選択的に発光させることでドット画像情報を表示するドット表示部２２４と、スロットマシン１にクレジット（貯留）されている遊技メダル（以下、単に「メダル」）数や、入賞によって獲得したメダル数、または入賞役への当選回数等の数値情報を表示する７セグＬＥＤからなる数値表示部２２５等が設けられている。
【００３１】
更に中パネル２２１には、スロットマシン１の使用方法やゲーム内容の説明等が、視覚効果を高めてデザインされた文字等によって描かれている。
【００３２】
中部パネル部２２の側部には、蛍光灯や高輝度発光ダイオードで形成されたサイドランプ２２６ａ、２２６ｂが設けられている。ゲームの進行に応じて上述した上部ランプ２１１、サイドランプ２２６ａ、２２６ｂ等が点灯・点滅することで、光によるゲームの演出効果を高めるようにしている。
【００３３】
操作卓２４の上面部には、ゲームを開始する際にメダルを投入するためのメダル投入部２４１と、押しボタンスイッチである３個のベットボタン２４２、２４３、２４４が設けられている。
【００３４】
ベットボタン２４２、２４３、２４４はスロットマシンの１ゲームに賭けるメダルの枚数を提示するためのボタンスイッチである。ゲームを開始する際にベットボタン２４２が押圧操作されることで、貯留されているメダルから１枚のメダルがゲームに対して賭けられる。同様に、ベットボタン２４３または２４４が押圧操作されることで、それぞれ２枚または３枚のメダルが賭けられる。
【００３５】
操作卓２４の前面左側には、リール３１１ａ、３１１ｂ、３１１ｃの回転開始を指示するためのスタートレバー２４５が設けられ、操作卓２４の前面ほぼ中央には、リール３１１ａ、３１１ｂ、３１１ｃの回転停止を指示するための押しボタンスイッチである３個のストップボタン２４６ａ、２４６ｂ、２４６ｃが各リール３１１ａ、３１１ｂ、３１１ｃに対応して設けられている。
【００３６】
スタートレバー２４５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。ストップボタン２４６ａ、２４６ｂ、２４６ｃは、押圧操作することで回転中のリール３１１ａ、３１１ｂ、３１１ｃをそれぞれ独立して停止させるためのスイッチである。
【００３７】
すなわち、遊技者がベットボタン２４２、２４３、２４４の何れかを押圧操作することで当該ゲームに賭けるメダル数を提示し、そして、スタートレバー２４５を傾倒操作すると、各リール３１１ａ、３１１ｂ、３１１ｃが一斉に回転する。この時スロットマシン１は、当該ゲームの入賞に係る役（入賞役）の抽選を内部的な処理により行う（以下、これを「内部抽選」という）。
【００３８】
各リール３１１ａ、３１１ｂ、３１１ｃが所定の回転速度に達すると、ストップボタン２４６ａ、２４６ｂ、２４６ｃによるリール停止操作が準備完了の状態となる。この状態で、遊技者がストップボタン２４６ａ、２４６ｂ、２４６ｃを任意の順序で押圧操作することにより、対応するリールが停止制御される。そして、停止した３個のリール３１１ａ、３１１ｂ、３１１ｃにより表示される図柄が上述の内部抽選で当選した役に対応する組合せで有効なライン上に揃うと入賞となり、その入賞役の種類に応じた枚数のメダルが遊技者に配当されるようになっている。
【００３９】
操作卓２４の前面右側には、前扉２を開錠するための鍵が挿入される鍵穴２４７が形成されている。店舗の正規の管理者等が鍵穴２４７に所定の鍵を挿入して開錠操作すると、蝶番機構によって筐体３に取り付けられている前扉２を前方へ開くことができ、また前扉２を筐体３側に閉じると、後述する施錠部２７が作動して自動的にこれらを施錠するようになっている。
【００４０】
下部パネル部２３には、スロットマシン１のゲーム内容または登場キャラクタなどを紹介するためのパネル２３１が設けられている。またパネル２３１の下側には、メダルを排出するためのメダル排出口２３２と、排出されたメダルを受ける受皿２３３とが設けられている。更にメダル排出口２３２に隣接して、多数の孔から形成された放音口２３４ａ、２３４ｂが設けられ、演出効果音を発する後述のスピーカが放音口２３４ａ、２３４ｂの裏面側に配置されている。
【００４１】
次に、図２を参照して、前扉２の裏面構造と筐体３の内部構造とを説明する。なお、図２は、前扉２を筐体３から開放した状態を表している。同図において、前扉２の裏面上部には、上部ランプ２１１の光源である複数の高輝度発光ダイオード２５１が配列されると共に、上述の放音口２１２ａ、２１２ｂに対向してスピーカ２５２ａ、２５２ｂが取り付けられている。また、図２には示されていないが、スピーカ２５２ａ、２５２ｂの間に上述の表示窓が位置しており、液晶表示装置２１３がその表示面を表示窓に向けて取り付けられている。更に、液晶表示装置２１３の裏面側に、マイコンベースの電気回路基板で形成されたサブ制御基板２００が取り付けられている。
【００４２】
なお、詳細は後述するが、スロットマシン１全体の動作は、筐体３側に設けられている主制御基板１００によって統括制御されており、サブ制御基板２００は、主制御基板１００からの指令信号に従って、液晶表示装置２１３、上部ランプ２１１、サイドランプ２２６ａ、２２６ｂ、スピーカ２５２ａ、２５２ｂ等によるゲームの演出に係る制御を主に行っている。
【００４３】
サブ制御基板２００の下方には、リール３１１ａ、３１１ｂ、３１１ｃを目視させるための表示窓２２２を有する中パネルユニットが取り付けられている。表示窓２２２の下方には、中央表示基板２４０と呼ばれる電気回路（中継）基板が設けられている。中央表示基板２４０には、操作卓２４に設けられているベットボタン２４２、２４３、２４４と、スタートレバー２４５と、ストップボタン２４６ａ、２４６ｂ、２４６ｃなどのスイッチ類が電気的に接続されており、これらスイッチ類の出力信号が筐体３側の主制御基板１００に転送されるように配線接続されている。
【００４４】
中央表示基板２４０の下方には、メダル投入部２４１に投入される投入物を正規のメダルか異物か判別して振り分けるメダルセレクタ２６１と、メダルセレクタ２６１で振り分けられたメダルを筐体３内に設けられているホッパ装置３２１へ案内するガイド部材２６２と、メダルセレクタ２６１で振り分けられた異物をメダル排出口２３２へ案内するガイド部材２６３と、ホッパ装置３２１から排出されるメダルをメダル排出口２３２へ案内するガイド部材２６４が設けられている。また、メダル排出口２３２の両側には、上述した放音口２３４ａ、２３４ｂに対向してスピーカ２５３ａ、２５３ｂが取り付けられており、これにより放音口２３４ａ、２３４ｂを介して演出効果音を出力するように構成されている。
【００４５】
次に、筐体３内の略中央には、リール３１１ａ、３１１ｂ、３１１ｃを備えるリール装置３１が設けられている。リール装置３１は、前扉２が筐体３側に閉じられると表示窓２２２にリール３１１ａ、３１１ｂ、３１１ｃが対向するように、筐体３の所定フレームに位置決めして取り付けられている。なお、リール装置３１の上面には、リール３１１ａ、３１１ｂ、３１１ｃを回転駆動させるステッピングモータを制御するための電気回路基板である図示しない回胴装置基板３１０が設けられている。
【００４６】
リール装置３１の上方には、スロットマシン１の全体動作を集中制御する主制御基板１００が取り付けられている。リール装置３１の下方には、ホッパ装置３２１と、ホッパ装置３２１から溢れたメダルを収容するための補助貯留部３２２と、主電源装置３３１が設けられている。主電源装置３３１の側面には、いわゆる配電盤に相当する電源装置基板３３０が設けられている。更に、筐体３の上部右側の内壁に、遊技店舗に設置されている「ホールコンピュータ」と呼ばれる中央の管理機器（コンピュータ）と接続可能な外部集中端子基板３９０が取り付けられている。
【００４７】
そして、上述の主制御基板１００、サブ制御基板２００、中央表示基板２４０、回胴装置基板３１０、電源装置基板３３０、外部集中端子基板３９０は、何れも導電性配線パターンの形成された絶縁性樹脂基板上に集積回路（ＩＣ）やトランジスタ、抵抗、コンデンサ等の電子部品が搭載されて配線接続されたいわゆる電気回路基板として形成されている。なお、主制御基板１００とサブ制御基板２００は、それぞれ硬質プラスチックのケースに収納されたユニット構造となっている。
【００４８】
次に、筐体３に取り付けられる前扉２の開閉構造と、前扉２の再閉塞をブロック（阻止）するブロッカー３５と、前扉２の開閉状態を検知する扉センサ２７５について図３〜図５を参照しながら説明する。
【００４９】
図３は、主に前扉２と筐体３の開閉構造を表した分解斜視図である。同図に示されるように、筐体３の開口部に固定された左フレームの２カ所と、前扉２の裏面右端に設けられた所定のブラケットに、蝶番機構４０ｕ、４０ｌのそれぞれの両端部がボルト等で固定され、これにより前扉２が筐体３に対して開閉可能に取り付けられている。
【００５０】
前扉２の裏面左端には、施錠部２７が設けられている。施錠部２７は、略Ｌ字状に折り曲げられた上下に長い板である錠基板２７７と、錠基板２７７にコイルバネを介して取り付けられた長尺状の板であって、錠基板２７７に沿って所定量だけ上下移動するリンク部材２７３と、錠基板２７７の両端近くに軸着され、リンク部材２７３の上下移動によって回動するロック部材２７４ｕ、２７４ｌと、シリンダ錠２７２とから主に構成されている。なお、各錠基板２７７、リンク部材２７３、ロック部材２７４ｕ、２７４ｌ等は、それぞれ板金プレス加工等で形成された金属部品であり、錠基板２７７にシリンダ錠２７２等が取り付けられて施錠部２７が構成される。
【００５１】
なお、施錠部２７の錠基板２７７が前扉２の裏面左端においてボルト等で取り付けられることで、シリンダ錠２７２の前端部が鍵穴２４７に嵌合する。また、図示はしていないが、後述する他の実施形態としてシリンダ錠２７２内に解錠操作に連動する鍵スイッチ３５３を設け、ブロッカー装置によるブロック状態を解除操作するために用いてもよい。
【００５２】
筐体３の開口部に固定される右フレームには、上述の施錠部２７のロック部材２７４ｕ、２７４ｌに対応する位置に、板状の係止板３４１ｕ、３４１ｌが形成されている。前扉２が筐体３に閉塞するとき、上下の各係止板３４１ｕ、３４１ｌの下端部に、施錠部２７の各ロック部材２７４ｕ、２７４ｌの鉤部が係止することで、前扉２と筐体３とは開放不能に施錠される。
【００５３】
シリンダ錠２７２には、所定の鍵２７１が挿入され回動操作されるに従って連動するアンクル部材２７２ａが備えられ、解錠操作によりアンクル部材２７２ａが回動すると、アンクル部材２７２ａに形成されている爪部がリンク部材２７３の図示しない穴に係合してリンク部材２７３を上方向へ移動させる。これにより、ロック部材２７４ｕ、２７４ｌが回動し係止板３４１ｕ、３４１ｌとの係止（施錠）状態が解除されて、前扉２の開放ができるようにしている。
【００５４】
また、筐体３の開口部の右フレーム所定位置には、ブロッカー３５が設けられ、一方、前扉２の施錠部２７には、ブロッカー３５に対向する扉側プレート２７８が錠基板２７７と一体的に形成されている。
【００５５】
なお、この扉側プレート２７８とブロッカー３５とによって本発明に関わるブロッカー装置が構成される。ここで、図４は、ブロッカー３５の構造を詳細に表した斜視図である。
【００５６】
同図に示されるように、ブロッカー３５は、前扉２が筐体３側に閉じるに伴い扉側プレート２７８が移動する移動方向に対向するとともに、相互に離間して生じた間隙に扉側プレート２７８の一部を挿入させる一対の筐体側プレート３５１ａ、３５１ｂと、扉側プレート２７８の移動空間内を貫通する位置に進出可能な可動ロッド３５２ａと、可動ロッド３５２ａを往復駆動させる直動アクチュエータ３５２とを備えて構成されている。
【００５７】
各筐体側プレート３５１ａ、３５１ｂは、上述したように筐体３の右フレームに固定され、扉側プレート２７８の端部に上述の可動ロッド３５２ａを貫通させるＵ溝部３５１ａａ、３５１ｂａが形成されている。
【００５８】
直動アクチュエータ３５２は、可動ロッド３５２ａをＵ溝部３５１ａａ、３５１ｂａを介して、筐体側プレート３５１ａ、３５１ｂを貫通する位置ないしは扉側プレート２７８の移動空間から退避する位置に切り換える。
【００５９】
直動アクチュエータ３５２は、例えば電動モータを駆動源としそのトルクを直線運動に変換して可動ロッド３５２ａを往復動させるボールネジギア機構またはラックピニオンギア機構により形成される。また、可動ロッド３５２ａを一側に付勢するバネと、カム機構を介して可動ロッド３５２ａに連結する電動モータとにより、上記位置を切り換えるようにしてもよい。
【００６０】
かかる構成のブロッカー装置の作用は次の通りである。すなわち、ブロッカー３５は、通常時には可動ロッド３５２ａを退避させ、前扉２が筐体３を閉塞した状態にある（図８（ａ）参照）。また、前扉２が一旦開放したとき、後述する制御シーケンスに従って可動ロッド３５２ａを進出させる（図８（ｃ）参照）。
【００６１】
可動ロッド３５２ａが進出する位置では、筐体側プレート３５１ａ、３５１ｂのＵ溝部３５１ａａ、３５１ｂａと扉側プレート２７８とにより挟まれ、これらによって可動ロッド３５２ａにせん断力が作用する位置関係となる（図８（ｄ）参照）。すなわち、この状態で前扉２を閉じる側へ移動させても、扉側プレート２７８が可動ロッド３５２ａに阻まれて筐体側プレート３５１ａ、３５１ｂの間隙内へ挿入できなくなる。したがって、前扉２の閉動作がブロックされ、筐体３を完全に閉塞することができなくなる。
【００６２】
次に、図５を参照し、開扉検出手段としての扉センサ２７５について説明する。扉センサ２７５は、例えば反射型のフォトセンサであり、上述した施錠部２７の錠基板２７７に取り付けられている。
【００６３】
図５に示すように、扉センサ２７５は、前扉２が筐体３に完全に閉塞した状態にあるとき、扉センサ２７５の発光素子２７５ａからの光が筐体３に設けられている係止板３４１ｕに反射して受光素子２７５ｂで受光することによりオン作動する。
【００６４】
一方、施錠部２７を解錠し前扉２を開放すると、発光素子２７５ａからのセンシング光が受光素子２７５ｂにより受光されなくなるため、扉センサ２７５はオフ作動する。これにより、前扉２の開放を検知する（負論理の場合）。
【００６５】
なお、扉センサ２７５は、機械接点を有するマイクロスイッチであってもよく、前扉２が閉塞状態にあるときにオフ作動し、開放した状態でオン作動するものでもよい（正論理の場合）。また、本実施形態では前扉２側に扉センサ２７５が取り付けられているが、筐体３のフレームに扉センサ２７５を取り付けて前扉２の開閉状態を検知するものでもよい。
【００６６】
次に、図６のブロック図を参照して、スロットマシン１に設けられている制御システムについて説明する。まず、図２には説明の便宜上示されていないが、主制御基板１００には、サブ制御基板２００、回胴装置基板３１０、中央表示基板２４０、電源装置基板３３０、及び外部集中端子基板３９０がそれぞれ配線ケーブルによって接続されている。
【００６７】
主制御基板１００は、演算装置としてのＣＰＵと半導体メモリであるＲＯＭ、及びＲＡＭ等の電子部品が搭載されており、ＲＯＭに予め記憶されているシステムプログラムをＣＰＵが実行し、各制御基板２００、３１０、２４０、３３０、３９０に所定の指令を含む制御信号を送出することで、それぞれに分散制御を行わせ、これによりスロットマシン１全体を統括制御している。
【００６８】
中央表示基板２４０は、ベットボタン２４２、２４３、２４４と、スタートレバー２４５及びストップボタン２４６ａ、２４６ｂ、２４６ｃが接続され、これらスイッチから出力される出力信号を主制御基板１００へ転送する中継基板として機能する。また、中央表示基板２４０は、メダルセレクタ２６１に設けられているメダルセンサから出力される出力信号を主制御基板１００へ転送し、メダル投入部２４１に投入されたメダル枚数を知らせると共に、異物の投入や目詰まりの発生等を知らせる。
【００６９】
また、中央表示基板２４０には、扉センサ２７５と、ブロッカー装置を構成する直動アクチュエータ３５２及び鍵スイッチ３５３が接続されている。
【００７０】
更に、中央表示基板２４０には、ロジック回路からなる前扉開放判定手段２４８と、前扉開放判定手段２４８により制御され直動アクチュエータ３５２を駆動するドライバ回路２４９とが搭載されている。
【００７１】
詳細は後述するが、前扉開放判定手段２４８は、扉センサ２７５により前扉２の開放を検知するとこれに基づいて直動アクチュエータ３５２を駆動して、前扉２の再閉塞をブロックするとともに、主制御基板１００に対しては、前扉２の開閉状態を示す扉開閉状態信号を出力する。
【００７２】
また、前扉開放判定手段２４８は、ホールの中央の管理機器である例えばホールコンピュータと接続されている。なお、ホールコンピュータには、ホール内に設置されている各スロットマシンに具備されているブロッカー装置のブロック状態を遠隔で解除操作するためのブロック解除操作入力手段が設けられており、管理者等がブロック解除操作入力手段を操作すると、ブロック解除指令信号が対象機へ出力されるようになっている。
【００７３】
前扉開放判定手段２４８は、ホールコンピュータからブロック解除指令信号を入力すると、直動アクチュエータ３５２の駆動を停止して、ブロック状態を解除するように回路構成されている。
【００７４】
サブ制御基板２００は、ＣＰＵと、半導体メモリであるＲＯＭ、ＲＡＭと、液晶表示装置２１３に演出映像を表示させる制御を行うためのＶＤＰ（Video Display Processor）を搭載している。サブ制御基板２００には、上部ランプ２１１、サイドランプ２２６ａ、２２６ｂ、スピーカ２５２ａ、２５２ｂ、２５３ａ、２５３ｂ、液晶表示装置２１３、告知表示部２２３やドット表示部２２４等の各種遊技情報表示部が接続されている。サブ制御基板２００は、主制御基板１００から出力される演出開始の指令信号に従って、これら効果ランプ、スピーカ等を駆動制御することで、遊技者の視覚と聴覚に訴える効果的な演出を行っている。
【００７５】
回胴装置基板３１０には、リール３１１ａ、３１１ｂ、３１１ｃを回転駆動するステッピングモータ３１２ａ、３１２ｂ、３１２ｃと、各リール３１１ａ、３１１ｂ、３１１ｃの回転位置を検出するフォトセンサ３１３ａ、３１３ｂ、３１３ｃが接続されている。そして、主制御基板１００からリール３１１ａ、３１１ｂ、３１１ｃを回転または停止させるべき旨の制御信号が供給されると、回胴装置基板３１０は、フォトセンサ３１３ａ、３１３ｂ、３１３ｃからの検出信号を受けて各リール３１１ａ、３１１ｂ、３１１ｃの回転位置を適切に把握しつつ、ステッピングモータ３１２ａ、３１２ｂ、３１２ｃへの駆動パルス信号を制御してリール３１１ａ、３１１ｂ、３１１ｃの動作を制御する。
【００７６】
電源装置基板３３０は、主電源装置３３１で発生される各種電源電圧をホッパ装置３２１その他の各所に配電する配電回路が形成されており、かかる配電回路からスロットマシン１の動作に必要なシステム電源を供給する。また、電源装置基板３３０は、主制御基板１００からメダルの払い出しをすべき旨の指令を受けると、ホッパ装置３２１を制御してメダルの払い出しを行わせる。
【００７７】
外部集中端子基板３９０は、主制御基板１００から出力されるスロットマシン１の状態信号またはゲームの進行状況等を示す信号を、上述のホールコンピュータへ送出するための端子基板である。
【００７８】
次に、本発明に関わるブロッカー装置の動作について説明する。なお、本ブロッカー装置について、上述したようにスロットマシン１の中央表示基板２４０に搭載された前扉開放判定手段２４８によりシーケンス制御される例に基づいて説明するが、主制御基板１００若しくはサブ制御基板２００等に搭載される組込プログラムやその他の制御手段によって制御されてもよい。
【００７９】
図７は、主として前扉開放判定手段２４８によるブロッカー装置の動作を表したフローチャートである。また、図８はブロッカー装置の動作を説明するための斜視図である。
【００８０】
スロットマシン１において、通常、ゲームが行われる状態では、前扉２が筐体３に閉塞し、図８（ａ）に示すように、直動アクチュエータ３５２の可動ロッド３５２ａが縮退（退避）位置にあるとともに、扉側プレート２７８が筐体側プレート３５１ａ、３５１ｂの間隙に挿入した状態にある。
【００８１】
この状態で不正行為等を目的として前扉２が開放されると（図８（ｂ）参照）、扉センサ２７５が作動（負論理ではオフ）し、前扉開放判定手段２４８が起動する（ステップＳ１：ＹＥＳ）。
【００８２】
前扉開放判定手段２４８は、扉センサ２７５の作動に応じて、ドライバ回路２４９を介してブロッカー３５の直動アクチュエータ３５２を駆動し、可変ロッド３５２ａを進出させた位置にする（図８（ｃ）参照）。これにより、図８（ｄ）に示すように、ブロッカー装置は、前扉２の閉塞を阻止（ブロック）する状態となる（ステップＳ２）。
【００８３】
また、ステップＳ３において、前扉開放判定手段２４８は、主制御基板１００へ前扉２の開放異常を示す信号（扉開閉状態信号）を出力する。
【００８４】
主制御基板１００は、前扉２が開状態の状態信号を受信すると、サブ制御基板２００へ報知指令信号を出力して、液晶表示装置２１３、上部ランプ２１１、サイドランプ２２６ａ、２２６ｂ、スピーカ２５２ａ、２５２ｂ等を使って前扉２の開放を周囲に報知し続ける。
【００８５】
更に、主制御基板１００は、ＬＡＮ等の通信手段を介して、ホール（遊技店舗）の管理人室に設置されたモニタシステムや、ホールコンピュータ等の中央の管理機器に前扉２の開放異常を報知してもよい。
【００８６】
ブロッカー装置による前扉２の再閉塞をブロックした状態が継続する間、ステップＳ４において、店舗の正規の管理者等によるブロック解除操作待ちとなる。なお、扉開放判定手段２４８は、ブロッカー装置のブロック状態が解除操作され前扉２が再び筐体３へ閉塞するまで、ステップＳ３の報知動作を継続させる。
【００８７】
前扉２の再閉塞がブロックされた状態で、店舗の管理者等がホールコンピュータのブロック解除操作入力手段を操作し、前扉開放判定手段２４８がブロック解除指令信号を受信したとき（ステップＳ４：ＹＥＳ）、直動アクチュエータ３５２を駆動若しくは駆動を停止して、可変ロッド３５２ａを退避位置へ戻す。これにより、ブロッカー装置はブロック状態が解除され、前扉２の閉塞を許可する（ステップＳ５）。
【００８８】
なお、管理者等が所定の鍵２７１を個々のスロットマシン１の鍵穴２４７（シリンダ錠２７２）に差し込んで解錠操作をすることで、これに連動して作動する鍵スイッチ３５３のスイッチ出力に応じて直動アクチュエータ３５２の可変ロッド３５２ａを退避させブロック状態を解除するように構成してもよい。
【００８９】
また、ステップＳ３において、扉センサ２７５による扉開閉状態信号を主制御基板１００が直接的に入力することで、前扉２の開放異常を報知するようにしてもよい。更には、直動アクチュエータ３５２による可変ロッド３５２ａの進出駆動信号に基づくブロック状態信号を主制御基板１００が入力して、これに応じて報知動作をしてもよい。
【００９０】
以上説明したように、前扉２の再閉塞をブロック（阻止）するかかるブロッカー装置を備えるスロットマシン１によれば、不正行為目的等により前扉２が一旦、開放されるとブロッカー装置が作動し、店舗の管理者等による解除操作があるまで前扉２の閉塞がブロックされる。これにより、前扉２の開放異常を長期間報知して、不正行為の発見を確実にする。
【００９１】
また、ブロッカー装置により前扉２の再閉塞がブロックされれば、主制御基板１００等が不正に改造されてもゲームをすることができないため、かかる不正行為を実効的に防止するとともに店舗側の被害を発生させないようにすることができる。
【図面の簡単な説明】
【００９２】
【図１】本発明の一実施形態によるスロットマシンの外観構造を表した斜視図である。
【図２】図１に示したスロットマシンの内部構造を表した図である。
【図３】図１に示したスロットマシンの前扉と筐体の開閉構造を主に表した分解斜視図である。
【図４】ブロッカー装置の一実施形態を表した斜視図である。
【図５】開扉検出手段としての扉センサの一実施形態を表した側面図である。
【図６】図１に示したスロットマシンに設けられる制御システムを表したブロック図である。
【図７】図４に示したブロッカー装置の動作を表したフローチャートである。
【図８】図４に示したブロッカー装置の動作を説明するための斜視図である。
【符号の説明】
【００９３】
１…スロットマシン
２…前扉                                ３…筐体
２１…上部パネル部                      ２２…中部パネル部
２３…下部パネル部                      ２４…操作卓
２７…施錠部                            ３１…リール装置
３５…ブロッカー                        ４０ｕ、４０ｌ…蝶番機構
１００…主制御基板                      ２００…サブ制御基板
２１１…上部ランプ                      ２１２ａ、２１２ｂ…放音口
２１３…液晶表示装置                    ２２１…中パネル
２２２…表示窓                          ２２３…告知表示部
２２４…ドット表示部                    ２２５…数値表示部
２２６ａ、２２６ｂ…サイドランプ        ２３１…パネル
２３２…メダル排出口                    ２３３…受皿
２３４ａ、２３４ｂ…放音口              ２４０…中央表示基板
２４１…メダル投入部                    ２４２、２４３、２４４…ベットボタン
２４５…スタートレバー                  ２４６ａ、２４６ｂ、２４６ｃ…ストップボタン
２４７…鍵穴                            ２４８…前扉開放判定手段
２４９…ドライバ回路                    ２５１…高輝度発光ダイオード
２５２ａ、２５２ｂ、２５３ａ、２５３ｂ…スピーカ
２６１…メダルセレクタ                  ２６２、２６３、２６４…ガイド部材
２７１…鍵                              ２７２…シリンダ錠
２７３…リンク部材                      ２７４ｕ、２７４ｌ…ロック部材
２７５…扉センサ                        ２７７…錠基板
２７８…扉側プレート                    ３１０…回動装置基板
３１１ａ、３１１ｂ、３１１ｃ…リール
３１２ａ、３１２ｂ、３１２ｃ…ステッピングモータ
３１３ａ、３１３ｂ、３１３ｃ…フォトセンサ
３１４ａ、３１４ｂ、３１４ｃ…バックランプ
３２１…ホッパ装置                      ３２２…補助貯留部
３３０…電源装置基板                    ３３１…主電源装置
３４１ｕ、３４１ｌ…係止板              ３５１ａ、３５１ｂ…筐体側プレート
３５１ａａ、３５１ｂａ…Ｕ溝部          ３５２…直動アクチュエータ
３５２ａ…可動ロッド                    ３５３…鍵スイッチ
【図１】
2007215905.tif 000003
【図２】
2007215905.tif 000004
【図３】
2007215905.tif 000005
【図４】
2007215905.tif 000006
【図５】
2007215905.tif 000007
【図６】
2007215905.tif 000008
【図７】
2007215905.tif 000009
【図８】
2007215905.tif 000010